(57)【要約】      （修正有）【課題】衣類を自然に広げて快速に乾燥可能であり、フック体を旋回することにより小さいスペースで収納可能なハンガーを提供する。【解決手段】フック体２１と、フレーム２２と、から構成され、フック体２１は、上端にフックが設けられており、底端に嵌めリング２１２が連接されており、嵌めリング２１２に切り欠２１３が設けられており、フレーム２２の中央に係止柱２２１が設けられており、係止柱２２１の両側には、互いに対称する支持枠２２２がそれぞれ設けられており、支持枠２２２に隙間が形成されており、支持枠の内面に補強条２２５が設けられており、係止柱２２１に嵌めリング２１２の切り欠２１３を嵌め込んだハンガーが構成される。【選択図】図２
0003184062.tif 000002
【実用新案登録請求の範囲】
【請求項１】
フック体と、フレームと、から構成され、前記フック体は、上端にフックが設けられており、底端に嵌めリングが連接されており、前記嵌めリングに切り欠が設けられており、前記フレームの中央に係止柱が設けられており、前記係止柱の両側には、互いに対称する支持枠がそれぞれ設けられており、前記支持枠に隙間が形成されており、前記支持枠の内面に補強条が設けられており、前記係止柱に前記嵌めリングの前記切り欠を嵌め込んだと、ハンガーが構成されることを特徴とするハンガー。
【請求項２】
前記補強条は、十字形、交差形、又は網状を呈することを特徴とする、請求項１に記載のハンガー。
【請求項３】
前記フック体の前記フックと前記嵌めリングとは、３６０度に回動可能であることを特徴とする、請求項１に記載のハンガー。
【考案の詳細な説明】
【技術分野】
【０００１】  本考案は、ハンガーに関し、特に、フック体と中空なフレームとから構成され、衣類を自然に広げて快速に乾燥可能であり、フック体を旋回することにより小さいスペースで収納可能なハンガーに関するものである。
【背景技術】
【０００２】  従来のハンガー１は、図１に示すように、金属ワーヤを折り曲げて一体成形されたものが一般的である。このようなハンガーは、フック部１１と、三角形を呈する支持部１２と、を有する。ハンガー１の支持部１２に衣類を掛けることにより、ハンガー１に衣類を固定可能である。衣類が掛けられたハンガー１を室外に掛けることにより、衣類を自然に乾燥可能である。ハンガー１は、フラット状を呈するため、ハンガー１に掛かられる衣類の前部と後部が接触して、空気が衣類の内部を流すことができず、衣類を乾燥する時間が長く延び、そして乾燥された衣類に皺が形成されやすい。このため、衣類にアイロンかけをすることが必要である。このような問題を解決するために、衣類を広げ可能なハンガーが開発されて市販している。しかし、このようなハンガーは、折畳んで収納することができず、収納スペースをかなり掛かる。
【考案の概要】
【考案が解決しようとする課題】
【０００３】  本考案の主な目的は、衣類を自然に広げて快速に乾燥可能であり、フック体を旋回することにより小さいスペースで収納可能なハンガーを提供することにある。
【課題を解決するための手段】
【０００４】  本考案のハンガーによると、フック体と、フレームと、から構成され、フック体は、上端にフックが設けられており、底端に嵌めリングが連接されており、嵌めリングに切り欠が設けられており、フレームの中央に係止柱が設けられており、係止柱の両側には、互いに対称する支持枠がそれぞれ設けられており、支持枠に隙間が形成されており、支持枠の内面に補強条が設けられており、係止柱に嵌めリングの切り欠を嵌め込んだと、ハンガーが構成されることを特徴とする。【０００５】  本考案のハンガーによると、補強条は、十字形、交差形、又は網状を呈することを特徴とする。【０００６】  本考案のハンガーによると、フック体のフックと嵌めリングとは、３６０度に回動可能であることを特徴とする。
【考案の効果】
【０００７】  本考案のハンガーによれば、衣類を自然に広げて快速に乾燥可能であり、フック体を旋回することにより小さいスペースで収納可能であるという効果を有する。
【図面の簡単な説明】
【０００８】
【図１】  従来のものを示す斜視図である。
【図２】  本考案の実施例１を示す分解斜視図である。
【図３】  本考案の実施例１の組合済み状態を示す斜視図である。
【図４】  本考案の実施例１の回転状態を示す模式図である。
【図５】  本考案の実施例１の使用状態を示す模式図である。
【図６】  本考案の実施例１の使用状態を示す平面図である。
【図７】  本考案の別の補強条を示す模式図である。
【図８】  本考案の更に別の補強条を示す模式図である。
【図９】  本考案の実施例１の収納状態を示す模式図である。
【図１０】  本考案の実施例１の重なり状態を示す模式図である。
【図１１】  本考案の実施例２を示す分解斜視図である。
【図１２】  本考案の実施例２の回転状態を示す模式図である。
【考案を実施するための最良の形態】
【０００９】  以下、本考案の実施の形態を図面に基づいて説明する。
【実施例１】  図２を参照する。図２は本考案の実施例１を示す分解斜視図である。本実施例のハンガー２は、フック体２１と、フレーム２２と、から構成される。フック体２１は、上端にフック２１１が設けられており、底端に嵌めリング２１２が連接されている。嵌めリング２１２の前端に切り欠２１３が設けられている。フレーム２２の中央に係止柱２２１が設けられている。係止柱２２１には、溝２２４が複数設けられている。係止柱２２１の両側には、互いに対称する支持枠２２２がそれぞれ設けられている。支持枠２２２は、中空であり、係止柱２２１の両側から扇形に延び、隙間が形成されている。支持枠２２２の内面に補強条２２５が設けられている。【００１０】  次に、図２を参照しながら本実施例の組合方法を説明する。フック体２１の末端にある嵌めリング２１２の切り欠２１３に、フレーム２２の係止柱２２１を嵌め込んだと、ハンガー２が構成される。切り欠２１３が係止柱２２１よりもやや小さいため、少しの力を加えないと、フック体２１の嵌めリング２１２にフレーム２２の係止柱２２１を係合することができない。【００１１】  また、図４を参照する。図４は本考案の実施例１の回転状態を示す模式図である。フック体２１の嵌めリング２１２にフレーム２２の係止柱２２１を係合したと、嵌めリング２１２は係止柱２２１を中心として３６０度に旋回可能であり、そして係止柱２２１の溝２２４（図２参照）により、嵌めリング２１２の切り欠２１３が溝２２４と係合して固定可能である。このように、フック体２１とフレーム２２とから構成されるハンガー２はもっと堅固となる。【００１２】  衣類３を乾かしたいときには、図４及び図５に示すように、フレーム２２と垂直するようにハンガー２のフック体２１を旋回すると、フレーム２２の両側にある支持枠２２２によって形成される隙間２２３により、図６に示すように、衣類３を自然に広げ可能である。このように、空気が衣類３の内部を流し可能であり、衣類３を完全に乾燥するまでの時間を短縮可能である。ハンガー２の支持枠２２２の内面に設けられる補強条２２５により、ハンガー２にオーバーコートやレインコートを掛けるときに、ハンガー２はオーバーコートやレインコートの重量によって変形し、又は損壊しない。補強条２２５は、図７に示すように、ハンガーの一部に設けてもいいし、図８に示すように、十字形のように設けてもいいし、その他の造形のように設けてもよい。このように、本実施例のハンガー２はもっと堅固となり可能である。【００１３】  また、図３を参照する。ハンガー２を利用しなくない場合には、ハンガー２のフック体２１を旋回するだけで、フック体２１をフレーム２２に水平することができる。このとき、図９に示すように、ハンガー２に掛けられている衣類３をワードローブ内に収納可能である。一方、上記の状態でのハンガー２は、図１０に示すように、包装又は販売が便利となる。そしてフック体２１及びフレーム２２は樹脂射出成形により作製可能であるため、大量生産することができ、生産コストを有効に減少可能である。
【実施例２】
【００１４】  図１１を参照する。図１１は本考案の実施例２を示す分解斜視図である。本実施例では、フック体２１のフック２１１と嵌めリング２１２は、一体成形される他、嵌合方式により組合せることも可能である。嵌合方式を採用する場合には、フック２１１の末端に環状溝２１１１が設けられており、嵌めリング２１２に柱２１２１が設けられており、柱２１２１に貫通孔２１２２が設けられており、貫通孔２１２２の内面に環状突起２１２３が設けられている。嵌めリング２１２の柱２１２１にフック２１１を入れると、柱２１２１の内部にある環状突起２１２３により、フック２１１の環状溝２１１１を嵌合して固定可能である。このような自在式の組合せにより、図１２に示すように、フック２１１を３６０度に旋回可能である。すなわち、ハンガー２は、各種の環境によってフック２１１の角度を調整可能であり、これにより、利用の便利性が更に増加する。
【符号の説明】
【００１５】１：ハンガー
２：ハンガー
３：衣類
１１：フック部
１２：支持部
２１：フック体
２２：フレーム
２１１：フック
２１２：嵌めリング
２１３：切り欠
２２１：係止柱
２２２：支持枠
２２３：隙間
２２４：溝
２２５：補強条
２１１１：環状溝
２１２１：柱
２１２２：貫通孔
２１２３：環状突起
【産業上の利用可能性】
【００１６】  本考案は、ハンガーに適用することができる。
【図１】
0003184062.tif 000003
【図２】
0003184062.tif 000004
【図３】
0003184062.tif 000005
【図４】
0003184062.tif 000006
【図５】
0003184062.tif 000007
【図６】
0003184062.tif 000008
【図７】
0003184062.tif 000009
【図８】
0003184062.tif 000010
【図９】
0003184062.tif 000011
【図１０】
0003184062.tif 000012
【図１１】
0003184062.tif 000013
【図１２】
0003184062.tif 000014